(57)【要約】【課題】ＰＴＣ素子を具備するヒータを用いる際に定着時のヒーターへの突入電力を小さくすること。【解決手段】記録材にトナー像を定着させる定着部材と、前記定着部材を加熱する定着ヒータと、前記定着ヒータへの通電を制御する制御手段と、を有する定着装置において、前記定着ヒータは使用温度範囲内にキュリー温度を有する第１の抵抗素子と使用温度範囲外にキュリー温度を有する第２の抵抗素子とを有し、前記制御手段は前記第１の抵抗素子への通電は実質行わずに前記第２の抵抗素子への通電を行うことで前記定着部材を所定温度に上昇させるウォームアップ処理を実行可能であることを特徴とする。【選択図】図４
2009265387.tif 000002
【特許請求の範囲】
【請求項１】
記録材にトナー像を定着させる定着部材と、前記定着部材を加熱する定着ヒータと、前記定着ヒータへの通電を制御する制御手段と、を有する定着装置において、
前記定着ヒータは使用温度範囲内にキュリー温度を有する第１の抵抗素子と使用温度範囲外にキュリー温度を有する第２の抵抗素子とを有し、
前記制御手段は前記第１の抵抗素子への通電は実質行わずに前記第２の抵抗素子への通電を行うことで前記定着部材を所定温度に上昇させるウォームアップ処理を実行可能であることを特徴とする定着装置。
【請求項２】
前記制御手段は前記第２の抵抗素子への通電は実質行わずに前記第１の抵抗素子への通電を行うことで前記定着部材を所定温度に維持させる温調処理を実行可能であることを特徴とする請求項１に記載の定着装置。
【発明の詳細な説明】
【技術分野】
【０００１】
本発明は、定着ヒータを有する定着装置に関するものである。
【背景技術】
【０００２】
従来、ＬＢＰ（レーザービームプリンタ）や複写機に用いられる定着装置として、熱ローラ方式の定着装置がある。しかし、この方式はローラの中心部のハロゲンヒータでローラを温めるため、プリント待機中もヒータをつけておく必要があった。また、別の定着方式としてオンデマンド定着方式がある。オンデマンド定着方式は薄い定着フィルムに綿状のセラミックヒータを接触させた構造で、シートが定着器を通過するときだけヒータが作動し、フィルムを介して熱を与え画像を定着させるというものである。しかしながら、記録材の通紙方向と直角の幅方向のサイズが小さい場合には、定着ニップ部における記録材の非通紙部分に熱が滞り、非通紙部の温度が上昇する、いわゆる端部昇温（非通紙部昇温）が起きるという問題があった。
【０００３】
この対策の例として、加熱ヒータの非通紙部に端部昇温が発生した場合に紙の間隔をあけることにより端部の温度を下げることなどがある。
【０００４】
また、発熱を自己制御できる熱源として正特性サーミスタ素子（ＰＴＣ素子）が用いられている（例えば、特許文献１、特許文献２及び特許文献３参照）。熱源にＰＴＣ素子を利用する場合には円筒状のロールの内部にＰＴＣ素子を挿入し、固定することにより構成されている。ＰＴＣ素子は自己温調機能を有しているため、発熱を制御する機能を必要としないという利点がある。
【０００５】
【特許文献１】実公昭６４−６５１４号公報
【特許文献２】実公昭６４―６５１６号公報
【特許文献３】特開平８−２２７３９号公報
【発明の開示】
【発明が解決しようとする課題】
【０００６】
しかしながら、このような従来のＰＴＣ素子を配置した定着装置は、円筒状のロール内にＰＴＣ素子を配置したものである。そのため円筒状ロール内に不要な空間が形成され、ロールヒータ全体がかなり大型のものになっていた。また、上述したＰＴＣヒータの初期発熱量が小さいので、定着フィルムがトナー像定着に適した温度に達するまでに時間を要する。しかし、温度上昇時間を短縮するために抵抗値を小さくすると、通電開始後に大電流が流れ、突入電力が大きくなってしまう。
【０００７】
そこで本発明では、ＰＴＣ素子を具備するヒータを用いる際に定着時のヒータへの突入電力を小さくすることを目的とする。
【課題を解決するための手段】
【０００８】
前記目的を達成するための本発明に係る代表的な構成は、記録材にトナー像を定着させる定着部材と、前記定着部材を加熱する定着ヒータと、前記定着ヒータへの通電を制御する制御手段と、を有する定着装置において、前記定着ヒータは使用温度範囲内にキュリー温度を有する第１の抵抗素子と使用温度範囲外にキュリー温度を有する第２の抵抗素子とを有し、前記制御手段は前記第１の抵抗素子への通電は実質行わずに前記第２の抵抗素子への通電を行うことで前記定着部材を所定温度に上昇させるウォームアップ処理を実行可能であることを特徴とする。
【発明の効果】
【０００９】
以上の構成のように、第一ヒータに通電し、所定の条件を満たした後に第二ヒータに通電することとすれば、過度の突入電力を消費しなくて済むことになる。
【発明を実施するための最良の形態】
【００１０】
〔第１実施形態〕
図を用いて本発明の第１実施形態を説明する。
【００１１】
〔画像形成装置〕
図１は画像形成装置の概略図である。この画像形成装置は転写式電子写真プロセス利用のレーザビームプリンタである。尚、必要に応じて図面におけるａ〜ｄの添え字を、明細書においては省略する。
【００１２】
画像形成装置は、像担持体である感光体ドラム２（２ａ〜２ｄ）、画像露光装置としてのレーザスキャナ７を有する。
【００１３】
画像形成装置は、感光体ドラム２上を一様に帯電するための帯電ローラ３（３ａ〜３ｄ）を有する。この帯電ローラ３により感光体ドラム２の面は一様に帯電される。この後、感光体ドラム２の面は、レーザスキャナ７の出力レーザビームで走査露光される。これにより、感光体ドラム２上に目的の画像情報の静電潜像が形成される。
【００１４】
画像形成装置は、感光体ドラム２上に形成された静電潜像をトナーにて現像するための現像器４（４ａ〜４ｄ）を有する。また、現像器４にて現像されたトナー像を感光体ドラム２上から中間転写ベルト８に一次転写するための転写ローラ５（５ａ〜５ｄ）を有する。中間転写ベルト８に担持されたトナー像は、最終的に所定の被記録材（以下、転写材Ｐと記す）に二次転写される。また、画像形成装置は、各転写部にて転写材Ｐに転写されたトナーを熱にて融着するための定着装置（以下、定着器１６と記す）を有する。
【００１５】
画像形成装置は、転写材Ｐのサイズを識別する機能を有し、転写材Ｐを格納する給送カセット１７を有する。また、１回転することにより給送カセット１７から転写材Ｐを給送し、搬送路に送り出すカセット給送ローラ１８を有する。また、給送カセット１７から給送された転写材Ｐを搬送する搬送ローラ１９を有する。
【００１６】
画像形成装置は、給送された転写材Ｐに対し、感光体ドラム２への画像書き込み（記録／印字）と転写材搬送の同期を取るためのセンサ２０を有する。また、定着後の転写材Ｐを排出トレイ２２へ搬送するための排出ローラ２１を有する。
【００１７】
以上の構成により、帯電ローラ３とレーザスキャナ７の作用により、感光体ドラム２に静電潜像が形成される。この静電潜像に対し現像器４からトナーが供給されトナー像となる。この各色のトナー像は順次、中間転写ベルト８に転写される。中間転写ベルト８上に重畳転写されたトナー像は、搬送ローラ１９から二次転写ローラ１２に搬送される転写材Ｐに転写される。トナー像が転写された転写材Ｐが定着器１６を通過することで、トナー像が転写材Ｐに定着される。最後に、転写材Ｐは排出ローラ２１により排出トレイ２２上に排出される。
【００１８】
〔制御系〕
図２に画像形成装置の各機構を制御する制御系の回路構成のブロック図を図２に示す。図２において、２００はプリンタ本体である。２０１は不図示のホストコンピュータ等の外部機器から送られる画像コードデータをプリンタの印字に必要なビットデータに展開するとともに、プリンタ内部情報を読み取りそれを表示するためのプリンタコントローラである。
【００１９】
２０２はプリンタエンジンの各部をプリンタコントローラ２０１の指示にしたがってプリント動作制御するとともに、プリンタコントローラ２０１へプリンタ内部情報を報知するためのプリンタエンジン制御部である。
【００２０】
２０３は帯電、現像、転写等各工程における各高圧出力制御をプリンタエンジン制御部２０２の指示にしたがっておこなう高圧制御部である。
【００２１】
２０４はスキャナモータの駆動／停止、レーザビームの点灯をプリンタエンジン制御部２０２の指示にしたがって制御する光学系制御部である。
【００２２】
２０５は定着器１６の定着ヒータへの通電の駆動／停止をプリンタエンジン制御部２０２の指示にしたがって行う定着器制御部である。
【００２３】
２０６はセンサからの信号をプリンタエンジン制御部２０２へ報知するセンサ入力部である。２０７はプリンタエンジン制御部２０２の指示にしたがい、転写材搬送のためにモータ／ローラ等の駆動／停止を行うシート搬送制御部である。これは、図１のカセット給送ローラ１８、搬送ローラ１９、定着器１６のローラ、排出ローラ２１の駆動／停止の制御をつかさどる。
【００２４】
〔定着器〕
定着器１６の概略構成を説明する。
【００２５】
図３に定着器の断面概略図を示す。本実施形態の定着装置は加熱用回転体としてエンドレスベルト状（円筒状）の耐熱性フィルムを用いた、加圧用回転体駆動方式のフィルム加熱方式の像加熱装置である。
【００２６】
３０１は定着部材としての、厚みが２０〜１５０μｍの薄肉の可撓性のエンドレスベルト状（円筒状）の定着フィルムであり、表層には離型層を形成してある。このエンドレスベルト状の定着フィルム３０１は、横断面半円弧状樋型のフィルムガイド部材（ステイ）３０２に対して周長に余裕を持たせた形でルーズに外嵌している。定着フィルム３０１は熱容量を小さくしてクイックスタート性を向上させている。
【００２７】
３０３は加圧用回転体としての加圧ローラであり、鉄、アルミ等の芯金の上にシリコーンゴム層（弾性層）の上に離型層としてＰＦＡチューブ層を有する。
【００２８】
３０４は定着ヒータであり、フィルムガイド部材３０２の下面側中央部に長手に沿って配設して固定支持させてある。加圧ローラ３０３は定着フィルム３０１を介して定着ヒータ３０４と加圧ローラ３０３の弾性に抗して圧接して所定幅の定着ニップ部Ｎを形成している。
【００２９】
定着フィルム３０１は加圧ローラ３０３の回転駆動により定着ニップ部Ｎにおいて摩擦力で回転トルクを受け、少なくとも画像定着実行時は矢示の時計方向に定着ニップ部Ｎにおいて定着ヒータ３０４面に密着して該ヒータ面を摺動する。そして定着フィルム３０１は、所定の周速度（前記の画像形成部（転写部）側から搬送される未定着トナー像を担持した転写材Ｐの搬送速度）と略同一周速度でシワなく回転駆動される。
【００３０】
定着ヒータ３０４は例えばセラミックヒータであり、電力供給により発熱する発熱源としての通電発熱体（抵抗発熱体）を含み、該通電発熱体の発熱により昇温する。
【００３１】
通電発熱体に対する電力供給により定着ヒータ３０４が加熱され、また加圧ローラ３０３の回転によって定着フィルム３０１が回転駆動されている。この状態において、定着ニップ部Ｎの定着フィルム３０１と加圧ローラ３０３との間に未定着トナー像ｔを担持している転写材Ｐが導入されて挟持搬送される。これにより、該転写材Ｐが定着フィルム３０１に密着してフィルムと一緒の重なり状態で定着ニップ部Ｎを通過していく。
【００３２】
この転写材Ｐの定着ニップ部通過過程で定着ヒータ３０４から定着フィルム３０１を介して転写材Ｐに熱エネルギーが付与される。そして転写材Ｐ上の未定着トナー像ｔが加熱溶融定着される。転写材Ｐは定着ニップ部通過後、定着フィルム３０１から分離して排出される。
【００３３】
また、定着ヒータには、温度検出手段としてのサーミスタ３０５が配置される。そして、サーミスタ３０５の温度検出結果に基づいて、後述するトライアックのＯＮ／ＯＦＦを制御する。
【００３４】
さらに保護のために、定着ヒータにはサーモスイッチが配置されている。サーモスイッチはサーミスタよりも動作温度が高く、動作温度以上になるとサーモスイッチが切れて定着ヒータに通電されなくなる。
【００３５】
次に、定着ヒータ３０４の構成を説明する。図４は定着ヒータの説明図である。
【００３６】
図４に示すように、定着ヒータ３０４は、抵抗ヒータ（第１の抵抗素子）４０１とＰＴＣヒータ（第２の抵抗素子）４０２を有する。
【００３７】
抵抗ヒータ４０１は、長手方向単位長さ当たりの抵抗値が長手方向に均一な抵抗値で、通電発熱抵抗層に通電がなされることにより、通電発熱抵抗層が発熱して、ヒータ基板・ガラス保護層を含むヒータ全体が急速昇温する。また目標温度180度に保つように電力制御を行う。
【００３８】
ＰＴＣヒータ４０２は、サーミスタ素子（ＰＴＣ素子）を具備する。ＰＴＣ素子に電圧を印加すると発熱し、ある温度を超えると抵抗値が増大して電流が通りにくくなる。そして温度が下がると抵抗値が小さくなり電流が流れて温度を上げる。このサイクルを繰り返すことにより自己温度を制御している。この抵抗値が急激に上昇する温度をキュリー温度と言う。
【００３９】
本実施例におけるＰＴＣヒータ４０２は、キュリー温度が180度のＰＴＣヒータを使用している。このキュリー温度は室温（25度）からサーモスイッチが動作する温度250度の間の定着装置の使用温度範囲内にあり、目標温度と同じ温度にある。また、抵抗ヒータもＰＴＣヒータと同様に無制御に温度上昇し続けると1000度程度で電気抵抗値が急激に上昇する温度がありそれ以上温度が上がらない。すなわち、抵抗ヒータ４０１のキュリー温度は定着装置の使用温度範囲外にある。
【００４０】
一方、抵抗ヒータ４０１と並列に配置されて、基材４０３上にＰＴＣヒータ４０２が長手方向に１０個程度配置されている。ＰＴＣヒータはペーストを施し、固定されている。立ち上がり特性上、ヒータの厚さは薄い方が好ましいが、耐圧の観点から１．５ｍｍ以上の厚さは必要である。電極４１０ａと電極４１０ｂは、ＰＴＣヒータ全体に接続されている。電極の一端には電源からＡＣを受け取る給電部があり、給電部より給電されてＰＴＣヒータに通電される。
【００４１】
抵抗ヒータ４０１とＰＴＣヒータ４０２は、それぞれ通電手段としての第二トライアック４０６と第一トライアック４０５を切り替えることによって独立に通電を制御することができる。制御は制御手段としてのヒータ制御回路４０７によって行う。
【００４２】
図５はＰＴＣヒータの構造を示す図であり、（ａ）が斜視図、（ｂ）が三面図である。
【００４３】
ＰＴＣヒータ４０２は、前述のセラミック等の基材４０３上に複数個搭載されるＰＴＣ素子６０１の外形である。そして素子６０１上に銀などで形成される電極６０２がある。
【００４４】
次に定着ヒータ３０４の制御回路を説明する。図６はヒータ温度制御系の回路を示すブロック図である。
【００４５】
図６において、図４と同様にＰＴＣヒータ４０２及び抵抗ヒータ４０１を、それぞれ第一トライアック４０５及び第二トライアック４０６によって通電の切り替えが行われる。これらはそれぞれヒータ制御回路４０７からの制御信号により制御される。
【００４６】
ヒータ制御回路４０７は、Ｉ／Ｏ制御部５０５、ＣＰＵ５０６、記憶部５０７を有する。
【００４７】
Ｉ／Ｏ制御部５０５は、入出力信号を伝送、制御する。ＣＰＵ５０６は、所定のプログラムにより演算を行ったり処理部全体をコントロールしたりする中央処理演算部である。記憶部５０７は、プログラムや所定のデータを格納するＲＯＭや信号処理に応じて一時的にデータを格納するＲＡＭ、またはＩＣカードやフロッピディスク等を含み、プログラムやデータの書込みや読出しを行う。
【００４８】
ＣＰＵ５０６には、時間をカウントするタイマ（定着ヒータへの通電時間を計測する計測手段）が具備され、ＣＰＵ５０６又はＩ／Ｏ制御部５０５には複数のレジスタが備えられ、データ信号を一時的に記憶読み出し処理のために用いられる。
【００４９】
〔立ち上がり特性〕
次に、ＰＴＣヒータと抵抗ヒータの立ち上がり特性について説明する。尚、本実施形態の定着ヒータ３０４は、２４０℃のキュリー点をもつＰＴＣヒータ４０２を１０個並べたものと、抵抗ヒータ４０１とを並列に配置したものである。
【００５０】
まず、ＰＴＣヒータと抵抗ヒータを同時に立ち上げたときについて説明する。図７はＰＴＣヒータと抵抗ヒータを同時に立ち上げたときの立ち上がり特性を表した図である。
【００５１】
図７に示すように、通電開始時に第一トライアックと第二トライアックをＯＮし、ＰＴＣヒータと抵抗ヒータに対して通電する。ヒータは通電開始後６秒後に目標温度に達する。
【００５２】
ＰＴＣヒータの通電開始直後にＰＴＣヒータの通電電流は急激に上昇する。これはＰＴＣヒータの特性として温度によって抵抗が小さくなる点（極小点）があるためである。突入電力は５０００Ｗの電力を消費することになる。また、立ち上がり時間を短縮するために通電開始時に抵抗ヒータにも通電している。このため、突入電力は６０００Ｗとなる。抵抗ヒータの抵抗値は１０Ωで温度による抵抗値の変化量はは０．０１倍程度である。ＰＴＣヒータの抵抗値は１７０Ωで、抵抗の変化量は１０００倍程度になる。
【００５３】
次に、本実施形態におけるＰＴＣヒータと抵抗ヒータの立ち上がり特性について説明する。図８は本実施形態におけるＰＴＣヒータと抵抗ヒータの立ち上がり特性を表した図である。
【００５４】
まず、通電開始時間ｔ０において第二トライアックをＯＮし、抵抗ヒータのみを通電する。通電開始後、ヒータの温度を検出しているサーミスタ３０５の温度が所定温度Ｔ１（本実施形態では１００℃）以上になった時、第二トライアックをＯＦＦする。また、これと同時に、第一トライアックをＯＮする。これによりＰＴＣヒータのみ通電を開始する。
【００５５】
ＰＴＣヒータは十分に温度が上昇した時点で通電を開始するため、ＰＴＣヒータの極小点以上の抵抗になっている。このため過度の突入電力が消費されない。立ち上げ後、１８０℃に達した時点でプリントを開始する。
【００５６】
図９に本実施形態の制御のフローチャートを示す。
【００５７】
電源ＯＮ（Ｓ１０１）後、ヒータへの通電を開始するときは、第二トライアックをＯＮして抵抗ヒータのみを通電する（Ｓ１０２）。次にサーミスタ３０５の温度が所定温度Ｔ１以上かどうかを判定する（Ｓ１０３）。サーミスタ３０５の温度が所定温度Ｔ１以上であれば、第二トライアックをＯＦＦし且つ第一トライアックをＯＮすることで、ＰＴＣヒータのみに通電する（Ｓ１０４）。Ｓ１０３でサーミスタ３０５の温度が所定温度Ｔ１未満であれば、所定温度Ｔ１になるまでＳ１０３を繰り返す。
【００５８】
Ｓ１０４の後、サーミスタ３０５の温度がプリントスタート温度Ｔ２以上であれば（Ｓ１０５）、プリントをスタートさせる（Ｓ１０６）。サーミスタ３０５の温度がプリントスタート温度Ｔ２未満であれば、プリントスタート温度Ｔ２になるまでＳ１０５を繰り返す。
【００５９】
本実施形態のように、ヒータ制御回路４０７は、まず  最初、ＰＴＣヒータ４０２への通電は実質行わずに抵抗ヒータ４０１への通電を行うことで定着フィルム３０１（及び３０５）を所定温度に維持させる温調処理を実行可能である。そして抵抗ヒータ４０１への通電は実質行わずにＰＴＣヒータ４０２への通電を行うことで定着フィルム３０１（及びサーミスタ３０５）を所定温度より大きな所望温度に上昇させるウォームアップ処理を実行可能である。このように構成することで、過度の突入電力を消費しなくて済むことになる。
【００６０】
本実施例においては所定温度以上になった場合にＰＴＣヒータのみに通電したが、立ち上げの時間を早くするために所定温度以上になったらＰＴＣヒータと抵抗ヒータの両方に通電してもよい。
【００６１】
〔第２実施形態〕
本発明を適用した第２実施形態について説明する。
【００６２】
第１実施形態ではＰＴＣヒータと抵抗ヒータをサーミスタの温度の検出結果から切り替えていた。本実施形態では温度によらず設定した時間でＰＴＣヒータと抵抗ヒータの切り替えを行う。前述と同様の構成については同符号を用い説明を省略する。
【００６３】
図１０は本実施形態におけるＰＴＣヒータと抵抗ヒータの立ち上がり特性を表した図である。通電開始時間ｔ０において、第二トライアック４０６をＯＮし、抵抗ヒータ４０１のみに通電する。ここで、あらかじめ１００℃程度になる所定時間ｔ１を測定しておき、その所定時間ｔ１を設定しておく。そして、ＣＰＵ５０６のタイマが所定時間ｔ１が経過したと判断したときに第二トライアック４０６をＯＦＦし、第一トライアック４０５をＯＮする。これによりＰＴＣヒータ４０２のみ通電を開始する。
【００６４】
本実施形態においては通電開始から５秒後（ｔ１）に通電を切り替える。また、通電開始後１０秒後にプリントを開始することを測定している。これはプリント開始温度の１８０℃に達する時間を想定した時間である。
【００６５】
図１１に本実施形態の制御のフローチャートを示す。
【００６６】
電源ＯＮ（Ｓ１１１）後、ヒータへの通電を開始するときは、第二トライアックをＯＮして抵抗ヒータのみを通電する（Ｓ１１２）。次に通電開始からの経過時間であるかどうかを判定する（Ｓ１１３）。通電開始後からの経過時間が所定時間ｔ１以上であれば、第二トライアックをＯＦＦし且つ第一トライアックをＯＮすることで、ＰＴＣヒータのみに通電する（Ｓ１１４）。Ｓ１１３で経過時間が所定時間ｔ１未満であれば所定時間ｔ１になるまでＳ１１３を繰り返す。
【００６７】
Ｓ１１４の後、サーミスタ３０５の温度がプリントスタート温度Ｔ２以上であれば（Ｓ１１５）、プリントをスタートさせる（Ｓ１１６）。サーミスタ３０５の温度がプリントスタート温度Ｔ２未満であれば、プリントスタート温度Ｔ２になるまでＳ１１５を繰り返す。
【００６８】
本実施例においては所定時間を経過した場合にＰＴＣヒータのみに通電したが、立ち上げの時間を早くするために所定時間を経過したらＰＴＣヒータと抵抗ヒータの両方を通電してもよい。
【００６９】
本実施形態のように、抵抗ヒータに通電し、通電後、所定時間が経過した後にＰＴＣヒータに通電することとすれば、過度の突入電力を消費しなくて済むことになる。
【図面の簡単な説明】
【００７０】
【図１】画像形成装置の概略図。
【図２】画像形成装置の各機構を制御する制御系の回路構成のブロック図。
【図３】定着器の断面概略図。
【図４】定着ヒータの説明図。
【図５】ＰＴＣヒータの構造を示す図。
【図６】ヒータ温度制御系の回路を示すブロック図。
【図７】ＰＴＣヒータと抵抗ヒータを同時に立ち上げたときの立ち上がり特性を表した図。
【図８】第１実施形態におけるＰＴＣヒータと抵抗ヒータの立ち上がり特性を表した図。
【図９】第１実施形態の制御のフローチャート。
【図１０】第２実施形態におけるＰＴＣヒータと抵抗ヒータの立ち上がり特性を表した図。
【図１１】第２実施形態の制御のフローチャート。
【符号の説明】
【００７１】
Ｎ…定着ニップ部、Ｐ…転写材、ｔ…未定着トナー像、２…感光体ドラム、３…帯電ローラ、４…現像器、５…転写ローラ、７…レーザスキャナ、８…中間転写ベルト、１２…二次転写ローラ、１６…定着器、１７…給送カセット、１８  …カセット給送ローラ、１９…搬送ローラ、２１…排出ローラ、２２…排出トレイ、２００…プリンタ本体、２０１…プリンタコントローラ、２０２…プリンタエンジン制御部、２０３…高圧制御部、２０４…光学系制御部、２０５…定着器制御部、２０６…センサ入力部、２０７…シート搬送制御部、３０１…定着フィルム、３０２…フィルムガイド部材、３０３…加圧ローラ、３０４…定着ヒータ、３０５…サーミスタ、４０１…抵抗ヒータ、４０２…ＰＴＣヒータ、４０３…基材、４０５…第一トライアック、４０６…第二トライアック、４０７…ヒータ制御回路、４１０ａ…電極、４１０ｂ…電極、５０５…Ｉ／Ｏ制御部、５０６…ＣＰＵ、５０７…記憶部、６０１…素子、６０２…電極
【図１】
2009265387.tif 000003
【図２】
2009265387.tif 000004
【図３】
2009265387.tif 000005
【図４】
2009265387.tif 000006
【図５】
2009265387.tif 000007
【図６】
2009265387.tif 000008
【図７】
2009265387.tif 000009
【図８】
2009265387.tif 000010
【図９】
2009265387.tif 000011
【図１０】
2009265387.tif 000012
【図１１】
2009265387.tif 000013